(57)【要約】【課題】  読み込み原稿に特定の原稿を挿入することで、印刷物に対する挿入紙（合紙）の設定を簡単に行うことができ、ユーザーの操作性向上が期待できる。【解決手段】  画像読み取り手段と読み取った画像が特定の条件を満たすかどうかを判別する特定原稿認識手段と、画像を形成する画像形成手段と、複数の出力紙の任意の位置に予め設定された種類の出力紙を挿入し出力する合紙挿入手段と、前記特定原稿認識手段によって画像情報が特定原稿と認識された場合、画像形成手段が出力紙を出力するうちの、読み取った原稿画像データの特定原稿に当たる位置に予め設定された種類の出力紙を挿入する合紙差し替え手段とから構成される。【選択図】  図１
2007060266.tif 000002
【特許請求の範囲】
【請求項１】
原稿から画像情報を読み取る画像読み取り手段と読み取った画像情報が特定の条件を満たす(以下、特定原稿とする)かどうかを判別する特定原稿認識手段と、
前記読み取った画像情報に基づいて、出力紙に画像を形成する画像形成手段と、複数の出力紙の任意の位置に予め設定された種類の出力紙を挿入し (以下、合紙とする)出力する合紙挿入手段と前記特定原稿認識手段によって画像情報が特定原稿と認識された場合、画像形成手段が出力紙を出力するうちの、読み取った原稿画像データの特定原稿に当たる位置に予め設定された種類の出力紙を挿入する合紙差し替え手段とを有する画像形成装置。
【請求項２】
請求項１において、LCDデバイスなどの表示手段を持ち、読み取った設定を前記表示手段に明示的に表示する読み取り画像表示手段を持つことを特徴とする画像形成装置。
【請求項３】
前記特定原稿認識手段は、前記画像読み取り手段が、原稿の片面を読み込む設定でかつ、読み取り原稿の片面が特定の条件を満たすと判断した場合に、その原稿を特定原稿であると判断することを特徴とする請求項１に記載の画像形成装置。
【請求項４】
前記特定原稿認識手段は、前記画像読み取り手段が、原稿の両面を読み込む設定でかつ、読み取り原稿の両面が特定の条件を満たすと判断した場合に、その原稿を特定原稿であると判断することを特徴とする請求項１に記載の画像形成装置。
【請求項５】
請求項１において、前記合紙差し替え手段は、原稿束の先頭が特定の条件を満たすと認識された際は、先頭ページのための特別な出力紙を挿入すること(以下、表紙設定とする)を特徴とする画像形成装置。
【請求項６】
請求項１において、前記合紙差し替え手段は、原稿束の最後が特定の条件を満たすと判断された際は、最終ページのための特別な出力紙を挿入すること(以下、裏表紙設定とする)を特徴とする画像形成装置。
【請求項７】
請求項１において、2枚連続で特定条件認識された際は、予め設定された種類の出力紙を挿入するだけでなく、その出力紙に次ページ以降の出力画像を印字することを特徴とする画像形成装置。
【請求項８】
請求項１において、3枚以上連続で特定条件認識された際は、3枚目以降の特定条件原稿を無視することを特徴とする画像形成装置。
【請求項９】
前記特定原稿認識手段は、読み込んだ原稿が白紙である場合に、それを特定原稿とみなすことを特徴とする請求項１に記載の画像形成装置。
【発明の詳細な説明】
【技術分野】
【０００１】
本発明は、デジタル複写機等の画像処理装置に関する。
【背景技術】
【０００２】
複写機などの画像形成装置においては、出力する印刷用紙の任意のページに予め設定した給紙段の用紙を挿入して出力する合紙設定機能がある。
【０００３】
画像形成装置において、合紙設定を行う際、操作パネル上で挿入させるページ数を指定する。
【０００４】
ユーザは原稿に対し、合紙を挿入したいページを数え、手入力で指定する必要があるため入力ミスが発生してしまう。さらに読み込む原稿枚数が大量である場合や、指定する合紙箇所が複数である場合ユーザの入力ミスの可能性が増えるだけでなく、操作も複雑になることが予想される。
【０００５】
また、このような問題に対し、特許文献１は原稿を複数回に分けて読み取り可能な連続読込モードの中間状態で合紙等の挿入やフォーム画像の挿入を指定できるようにし、連続読込モードで処理するジョブに対して、この指定に基づいて合紙等の挿入、フォーム画像との合成等を行えるようにする。
【０００６】
しかし、この場合も、合紙の挿入位置に合わせて原稿を分け、複数回原稿の入れ替えや読み込み指示を行う必要があり、操作が複雑で読み込みに時間がかかるという問題がある。
【特許文献１】特開２００４-４８６５９号公報
【発明の開示】
【発明が解決しようとする課題】
【０００７】
このように、ユーザが原画像データの読み間違え等を起こす可能性があり、意図する個所に合紙を設定するのは面倒であった。
【０００８】
また、試しコピー後に間違いに気付き、再設定を行う際も原画像を再読込しなければならず、設定に時間がかかる問題があった。
【課題を解決するための手段】
【０００９】
＜特定条件紙を合紙指定と認識する＞
ユーザに読み込んだ画像に対し特定原稿認識手段を用い、特定原稿と判断されれば合紙指定とみなすかを設定させる。
【００１０】
読み込んだ画像が特定原稿かを判断する。
【００１１】
特定原稿でなければ通常通り最適サイズの印画紙で印刷を行う。
【００１２】
特定原稿とみなした場合、合紙指定と判断し、指定された印画紙を使用する。
【００１３】
＜片面読込、両面読込により特定条件紙認識を変更する＞
片面読込の場合は、読み込んだ原画像が特定原稿であるかを判別する。
【００１４】
両面読込の場合は、読み込んだ原画像が両面とも特定の条件を満たすかを判別する。
【００１５】
＜表紙、裏表紙設定＞
1枚目が特定原稿の場合は、表紙設定と判断する。
【００１６】
また、最終ページが特定条件紙の場合は、裏表紙設定と判断する。
【００１７】
＜合紙にコピーを行う＞
2枚連続で特定原稿を挿入することにより、次の原画像を合紙にコピーすると判断する。
【００１８】
3枚以上特定条件紙が連続する場合は、3枚目以降を無視する。
【００１９】
＜読み込んだ合紙設定を明示的に表示する＞
読み込んだ合紙指定位置をLCD等に明示的に表示させる。
【００２０】
各合紙指定により、給紙段を選択できる。
【００２１】
ユーザが確認完了後にプリント開始の指示を行う。
【発明の効果】
【００２２】
ユーザは意図する個所に特定原稿を挟むだけで合紙指定を簡単に行うことが出来る。
【００２３】
読み込んだ設定を明示的に表示することにより、ユーザが意図しない特定原稿や挿入漏れを確認することが出来る。
【００２４】
また、明示的に表示するため、合紙挿入位置に誤りがある際は読み取り後に再設定させることが出来る。
【発明を実施するための最良の形態】
【００２５】
以下、本発明を実施するための最良の形態について、図面を参照して説明する。
【実施例１】
【００２６】
図１は、複写機１００１の主要部の構成を示すブロック図である。
【００２７】
複写機１００１はコントローラユニット２０００を含み、コントローラユニット２０００には、画像入力デバイスであるスキャナ２０７０や画像出力デバイスであるプリンタ２０９５が接続されるとともに、操作部２０１２が接続される。コントローラユニット２０００は、スキャナ２０７０で読み取られた画像データをプリンタ２０９５により印刷出力するコピー機能を実現するための制御を行うとともに、ＬＡＮ１００６や公衆回線１００８（ＷＡＮ）に接続することによって、画像情報やデバイス情報の入出力を行うための制御を行う。
【００２８】
コントローラユニット２０００は、具体的には、ＣＰＵ２００１を有し、ＣＰＵ２００１は、ＲＯＭ２００３に格納されているブートプログラムによりオペレーションシステム（ＯＳ）を立ち上げ、このＯＳ上で、ＨＤＤ（ハードディスクドライブ）２００４に格納されているアプリケーションプログラムを実行し、これによって各種処理を実行する。このＣＰＵ２００１の作業領域としてはＲＡＭ２００２が用いられる。ＲＡＭ２００２は、作業領域を提供するとともに、画像データを一時記憶するための画像メモリ領域を提供する。ＨＤＤ２００４は、上記アプリケーションプログラムや画像データを格納する。
【００２９】
ＣＰＵ２００１には、システムバス２００７を介して、ＲＯＭ２００３およびＲＡＭ２００２とともに、操作部Ｉ／Ｆ（操作部インタフェース）２００６、ネットワークＩ／Ｆ（ネットワークインタフェース）２０１０、モデム２０５０およびイメージバスＩ／Ｆ（イメージバスインタフェース）２００５が接続される。
【００３０】
操作部Ｉ／Ｆ２００６は、タッチパネルを有する操作部２０１２とのインタフェースであり、操作部２０１２に表示すべき画像データを操作部２０１２に対して出力する。また、操作部Ｉ／Ｆ２００６は、操作部２０１２においてユーザにより入力された情報をＣＰＵ２００１に送出する。
【００３１】
次に、ネットワークＩ／Ｆ２０１０は、ＬＡＮ１００６に接続され、ＬＡＮ１００６を介してＬＡＮ１００６上の各装置との間で情報の入出力を行う。モデム２０５０は、公衆回線１００８に接続され、公衆回線１００８を介して情報の入出力を行う。
【００３２】
イメージバスＩ／Ｆ２００５は、システムバス２００７と、画像データを高速で転送する画像バス２００８とを接続し、データ形式を変換するためのバスブリッジである。画像バス２００８は、ＰＣＩバスまたはＩＥＥＥ１３９４から構成される。画像バス２００８上には、ラスタイメージプロセッサ（以下、「ＲＩＰ」という）２０６０、デバイスＩ／Ｆ２０２０、スキャナ画像処理部２０８０、プリンタ画像処理部２０９０、画像回転部２０３０、および画像圧縮部２０４０が設けられる。
【００３３】
ＲＩＰ２０６０は、ＰＤＬコードをビットマップイメージに展開するプロセッサである。デバイスＩ／Ｆ２０２０には、スキャナ２０７０およびプリンタ２０９５が接続され、デバイスＩ／Ｆ２０２０は、画像データの同期系／非同期系の変換を行う。スキャナ画像処理部２０８０は、入力画像データに対し補正、加工、編集を行う。プリンタ画像処理部２０９０は、プリント出力画像データに対してプリンタ２０９５に応じた補正、解像度変換などを行う。画像回転部２０３０は、画像データの回転を行う。画像圧縮部２０４０は、多値画像データをＪＰＥＧデータに、２値画像データをＪＢＩＧ、ＭＭＲ、ＭＨなどのデータに圧縮するとともに、その伸張処理を行う。
【００３４】
次に、スキャナ２０７０およびプリンタ２０９５のハードウェア構成について図２を参照して説明する。
【００３５】
図２は、図１に示すスキャナ２０７０およびプリンタ２０９５のハードウェア構成を示す側断面図である。
【００３６】
スキャナ２０７０とプリンタ２０９５とは、図２に示すように、一体的に構成されている。スキャナ２０７０は、原稿給紙ユニット２５０を搭載し、原稿給紙ユニット２５０は、原稿を先頭から順に１枚ずつプラテンガラス２１１上へ給送し、各原稿の読取動作が終了する毎に、その原稿をプラテンガラス２１１から排出トレイ（図示せず）に排出する。スキャナ２０７０は、原稿がプラテンガラス２１１上に給送されると、ランプ２１２を点灯し、移動ユニット２１３の移動を開始する。この移動ユニット２１３の移動によりプラテンガラス２１１上の原稿に対する読取走査が行われる。この読取走査中、原稿からの反射光は、各ミラー２１４，２１５，２１６およびレンズ２１７を経てＣＣＤイメージセンサ（以下、「ＣＣＤ」という）２１８に導かれ、原稿上の画像がＣＣＤ２１８の撮像面上に結像される。ＣＣＤ２１８は、撮像面に結像された画像を電気信号に変換し、この電気信号が所定の処理施された後に制御装置（図示せず）に入力される。
【００３７】
プリンタ２０９５は、レーザドライバ３２１を有し、レーザドライバ３２１は、制御装置から入力された画像データに基づきレーザ発光部３２２を駆動する。これにより、レーザ発光部３２２からは画像データに応じたレーザ光が発光され、このレーザ光は走査されながら感光ドラム３２３上に照射される。感光ドラム３２３上には、照射されたレーザ光により静電潜像が形成され、この静電潜像は現像器３２４から供給されたトナーによりトナー像として可視像化される。レーザ光の照射タイミングに同期して、各カセット３１１，３１２から記録紙が搬送路を介して感光ドラム３２３と転写部３２５との間に給紙され、感光ドラム３２３上のトナー像は転写部３２５により給紙された記録紙上に転写される。
【００３８】
トナー像が転写された記録紙は、搬送ベルトを介して定着ローラ対（加熱ローラと加圧ローラ）３２６に送られ、定着ローラ対３２６は、記録紙を熱圧し、記録紙上のトナー像を記録紙上に定着させる。この定着ローラ対３２６を通過した記録紙は、排紙ローラ対３２７により排紙ユニット３３０に排紙される。排紙ユニット３３０は、ソート、ステイプルなどの後処理を施すことが可能なシート処理装置からなる。
【００３９】
また、両面記録モードが設定されている場合には、記録紙を排紙ローラ対３２７まで搬送した後に、排紙ローラ対３２７の回転方向を逆転させ、フラッパ３２８によって再給紙搬送路３３９へ導く。再給紙搬送路３３９に導かれた記録紙は、上述したタイミングで感光ドラム３２３と転写部３２５との間に再給紙され、この記録紙の裏面にトナー像が転写される。
【００４０】
図３は、図１に示す操作部２０１２の構成を示す平面図である。
【００４１】
ＬＣＤ表示部２０１３は、ＬＣＤ上にタッチパネルシートが貼られた構造となっており、複写機１００１の操作画面を表示するとともに、該画面に表示されたキーが押されるとその位置情報をコントローラユニット２０００のＣＰＵ２００１に伝える。スタートキー２０１４は、原稿画像の読み取り動作を開始する時などに用いられる。スタートキー２０１４の中央部には、緑と赤の２色ＬＥＤ２０１８が設けられ、その色によってスタートキー２０１４が使える状態にあるか否かを示す。ストップキー２０１５は、稼働中の動作を止めるときに操作される。ＩＤキー２０１６は、使用者のユーザＩＤを入力する時に用いられる。リセットキー２０１７は、操作部２０１２からの設定を初期化する時に用いられる。
【００４２】
図４は、操作部２０１２上に表示される操作画面の一例を示す図である。
【００４３】
操作部２０１２の操作画面の上部には、タッチキーからなり、各種の機能を選択するためのコピータブ９０１、送信／ＦＡＸタブ９０２、ボックスタブ９０３、ブラウザタブ９０４、右矢印タブ９０５が表示される。
【００４４】
図４は、コピータブ９０１のタッチキーが押下されたときのコピー機能の初期画面を表している。コピー機能に関する表示は領域９０６で行なわれ、領域９０６の上から、「コピーできます」が表示されている領域には、コピー機能で表示すべきステータスを表示し、その下の領域には、倍率、選択給紙段、置数を表示する。また、コピー機能の動作モードを設定するためのタッチキーとして、等倍、倍率、用紙選択、ソータ、両面、割込み、文字、濃度調整用としての薄くするに対応する左矢印キー、濃くするに対応する右矢印キー、濃度を自動調整する自動キーが表示され、また、初期画面に表示しきれない動作モードの指定画面は、応用モードキーを押下することで、階層的に領域９０６内に表示されるようになっている。
【００４５】
また、表示領域９０７は、複写機１００１のステータスを表示する領域であり、例えば、ジャムなどのアラームメッセージや、ＰＤＬプリントが行われているときにＰＤＬプリント中であることを示すステータスメッセージを表示する領域である。表示領域９０７にはシステム状況／中止タッチキー９０８が表示され、該システム状況／中止タッチキー９０８を押下すると、複写機１００１のデバイス情報を表示する画面や、プリントジョブ状況を表示する画面（図示せず）を表示し、この画面ではジョブの中止を行うことが可能になる。
【００４６】
送信／ＦＡＸタブ９０２を押下すると、複写機１００１で読み取った画像をＬＡＮ１００６上の機器にＥ−メール送信またはＦＴＰ送信したり、また公衆回線１００８を使ってファクシミリ送信したりするための設定画面（図６）を表示する。
【００４７】
ボックスタブ９０３を押下すると、複写機１００１上で読み取った画像をＨＤＤ２００４内のボックス領域に保存したり、ボックス領域に保存されている画像データを指定して印刷したり、ＬＡＮ１００６上の機器に送信したりするための設定画面（図示せず）を表示する。
【００４８】
また、５つ以上の機能がコントローラユニット２０００に装備されている場合は、コピー、送信／ＦＡＸ、ボックス、ブラウザの４つ機能タブ９０１〜９０４の右横に右矢印キー９０５が表示され、右矢印キー９０５が押下されると、別の機能のための画面が表示されるようになっている。
（以上、複写機の基本説明）
表紙／合紙設定は、何ページ目に挿入するかをユーザが画面操作により入力している。
【００４９】
従来、表紙／合紙設定を行う際は、以下の処理を行う。
【００５０】
図５は表紙／合紙を設定する画面である。
【００５１】
表紙設定ボタン５０１を押下すると、表紙挿入が設定される。
【００５２】
さらに、用紙選択ボタン５０２が押下可能となる。用紙選択ボタン５０２を押下すると、図６の用紙選択画面が表示される。ユーザはここで表紙に挿入する用紙の種類を選択する。
【００５３】
表紙設定ボタン５０１を押下すると、次へボタン５０３が押下可能となる。
【００５４】
次へボタン５０３を押下したときの画面が図７である。
【００５５】
図７のコピーする／しないの画面において表紙に印字を行うかどうかを設定する。
【００５６】
合紙設定においては、図８の挿入ページの指定画面において挿入ページ全ての個所に追加を行い、図９の挿入紙の詳細設定画面においてユーザに手入力させている。
【００５７】
そのため、設定した結果は、印刷を行わないと正しいか確認することが出来ず、挿入位置指定間違いが多発していた。
【００５８】
また、印刷後に設定が間違えていると判断すると、再度読み込みおよび、挿入位置指定を設定しなおさなければならず、不便である。
【００５９】
本発明における、表紙／合紙設定について説明する。
【００６０】
図１０の表紙／合紙設定画面において、特定原稿合紙指定ボタン１００１を押下し、特定原稿差し替え機能をONにする。
【００６１】
特定原稿合紙指定ボタン１００１を押下すると、用紙選択ボタン１００２が押下可能となる。用紙選択ボタン１００２を押下すると、図６の用紙選択画面が表示される。ユーザはここで、合紙として挿入する用紙の種類を選択する。
【００６２】
特定原稿合紙設定ボタン１００１を押下すると、次へボタン１００３が、読み込みボタン１１０１へと切り替わり、押下可能となる。（図１１）
読み込みボタン１１０１を押下すると、図１２の画面が表示される。
【００６３】
ユーザは、原稿読み取り部に特定原稿交じりの原稿束（図１４）をセットし、スタートボタン２０１４を押下する。
【００６４】
画像読み込みを行い、特定原稿かを判別する。たとえば、ここでは白紙を特定原稿として判断する。
【００６５】
このとき、片面読み込みであれば、片面が白紙原稿であれば特定原稿と判断し、両面読み込みであれば、両面が白紙原稿であったときに特定原稿と判断する。
【００６６】
特定原稿と判別されれば合紙指定と設定する。
【００６７】
読み込みが完了すると、図１３の挿入紙読み込み設定確認画面を表示する。（図１５の原稿を読み込んだ際の設定イメージ）
ユーザは設定を確認し、問題がなければプリント開始ボタン１２０１を押下し
印字を行う。
【００６８】
特定原稿と認識された個所に合紙として指定された用紙を出力する。(図１５)挿入紙読み込み設定確認画面においてユーザは設定を変更することが可能である。
【００６９】
挿入紙を追加する場合は、追加ボタン１２０２を押下し、図９の追加画面において挿入紙指定の追加を行う。
【００７０】
挿入紙の挿入位置変更や指定カセット段の変更を行う場合は、詳細／編集ボタン１２０３を押下し、図１４の編集画面において設定を行う。
【実施例２】
【００７１】
特定原稿が２枚以上続けて検知されると、合紙に印刷すると認識する。
【００７２】
特定原稿が３枚以上続けて検知されると３枚目以降の特定原稿を無視する。
【００７３】
特定原稿と認識した箇所に予め指定された給紙段から給紙を行い、合紙として排紙を行い、さらにその合紙に次ページの通常原稿を印字する。(図１６)
【実施例３】
【００７４】
読み込み原稿の１枚目が特定原稿であれば、表紙指定と設定する。1枚目から２枚連続で特定原稿と判断されていれば、特定原稿の次の通常原画像を合紙に印字する。
【００７５】
最終読み込み原画像が２枚連続で特定原稿と認識された際は、特定原稿の１つ前の通常原画像を合紙に印字し、裏表紙とする。（図１７）
表紙／合紙の簡易設定についてフローチャートで説明する。(図１８、図１９)
片面読み込み設定時のフローを図１８で説明する。
【００７６】
読み込み原稿束を原稿読み取り部２０５にセットする。
【００７７】
ステップS1801に進み、読み込みを開始する。ステップS1802において、出力原稿のページ数：N、特定原稿が続いた回数：t の値を０クリアする。
【００７８】
ステップS1803に進み、読み込んだ画像が特定原稿であるかを判断する。
【００７９】
特定原稿であった場合、ステップS1825へ進み、特別原稿が続いた値に１を追加する。
【００８０】
その後、ステップS1819へ進み、原稿全てを読み込んだかを確認する。
【００８１】
ステップS1803において、特定原稿と判断されなかった場合、通常原稿のため、ステップS1804にて、読み込んだ現画像を記憶する。
【００８２】
ステップS1805において、出力原稿のページ数に１を追加する。
【００８３】
ステップS1806において、通常原稿前に読み込んだ特定原稿枚数を調べる。
【００８４】
直前に読み込んだ特定原稿が1枚であった場合、合紙指定のため、ステップS1807へ進み、Nページ目を印刷しないようにセットする。
【００８５】
ステップS1808において、読み込んだ通常原稿が1枚目であるかを判断する。
1枚目であれば、表紙指定と判断し、ステップS1809において、Nページ目を表紙と設定する。
【００８６】
読み込んだ通常原稿が1枚目ではなかった場合、ステップS1810において、Nページ目を合紙と設定する。
【００８７】
ステップS1811において、出力原稿のページ数に１追加し、Nページ目を通常給紙段から印刷とセットし、また、Nページ目を印刷すると設定する。
【００８８】
その後、ステップS1818に進み、特別原稿が続いた回数を0クリアする。
【００８９】
ステップS1819において、最終原稿かを判断する。
【００９０】
ステップS1806で特別原稿が続いた回数が1枚ではなかった場合、ステップS1812に進み、2枚以上特定原稿が続いているか確認する。
【００９１】
特定原稿が2枚以上続いている場合、ステップS1813に進み、Nページ目を印刷すると設定。
【００９２】
ステップS1814へ進み、読み込んだ通常原稿が1枚目であるかを判断する。
【００９３】
1枚目であれば、ステップS1816へ進み、Nページ目を表紙と設定する。
【００９４】
1枚目でなければ、ステップS1815へ進み、Nページ目を合紙と設定する。
【００９５】
その後、ステップS1818へ進み、特定原稿が続いた回数を0クリアする。
【００９６】
ステップS1819へ進み、全ての原稿を読み込んだか確認する。
【００９７】
ステップS1812で特定原稿が2枚以上続いていないと判断された場合は、直前に読み込んだ画像が特定原稿ではなかったことを意味し、ステップS1817へ進む。
【００９８】
ステップS1817において、Nページ目を通常給紙段から行い、Nページ目を印刷すると設定する。
【００９９】
ステップS1818へ進み、特定原稿が続いた回数を0クリアする。
【０１００】
ステップS1819へ進み、全原稿を読み込んだ確認する。
【０１０１】
全ての原稿を読み終えていない場合は、ステップS1803へ進み、次の原稿を読み込む。
【０１０２】
全ての原稿を読み終えた場合、ステップS1820へ進む。
【０１０３】
最終原稿を読み終えた時点で、特定原稿で読み込みを完了していないか確認する。
【０１０４】
ステップS1820において、特定原稿が1枚で終わっているか判断し、終わっている場合は、ステップS1821において、出力原稿のページ数に１を追加し、Nページ目を裏表紙指定と設定する。
【０１０５】
また、Nページ目を印刷しないと設定する。
【０１０６】
ステップS1822において、特定原稿が2枚以上読み込まれて終了しているかを判断する。
【０１０７】
2枚以上読み込まれて終了している場合、ステップS1823に進み、Nページ目を裏表紙と設定し、Nページ目を印刷すると設定する。
【０１０８】
ステップS1824において、記憶した原稿をNページ設定した給紙に従い、印刷を実行し終了する。
【０１０９】
両面読み込み設定時のフローを図１９で説明する。
【０１１０】
読み込み原稿束を原稿読み取り部２０５にセットする。
【０１１１】
ステップS1901に進み、読み込みを開始する。ステップS1902において、出力原稿の枚数：N、特定原稿が続いた回数：t 、表面特定条件かのフラグ：Fの値を０クリアする。
【０１１２】
ステップS1903に進み、読み込んだ画像が裏面原稿であるかを判断する。表面原稿であれば、ステップS1904へ進み、表面が特定条件に一致するか判断する。
【０１１３】
特定条件に一致した場合は、ステップS1905へ進み、表面特定条件フラグを１にセットし、ステップS1921へ進む。
【０１１４】
ステップS1921で全原稿を読み込んだかを判断し、読み込み完了していなければ、ステップS1903へ戻る。
【０１１５】
ステップS1904で、表面が特定条件を満たしていないと判断された際は、ステップS1906で現画像を記憶し、ステップS1907へ進む。
【０１１６】
ステップS1903で裏面原稿であると判断されれば、ステップS1922へ進み、表面特定条件フラグの値が1であるかを判断する。
【０１１７】
表面が特定条件を満たしていると判断されれば、ステップS1925へ進み、表面特定条件フラグを０にセットしなおす。
【０１１８】
ステップS1926へ進み、裏面も特定条件かを判断する。
【０１１９】
ステップS1926において、裏面も特定条件を満たすと判断された場合、特定原稿と判断し、ステップS1928へ進む。
【０１２０】
ステップS1928において、特定原稿が続いた回数に１を追加し、ステップS1921へ進む。
【０１２１】
ステップS1926において、裏面が特定条件を満たさないと判断された場合は、ステップS1927へ進み、表面を特定画像として記憶し、ステップS1923へ進む。
【０１２２】
ステップS1922において、表面が通常原稿であったと判断された場合は、ステップS1923へ進み、裏面画像を記憶し、ステップS1924へ進み、印刷枚数に１を追加し、ステップS1907へ進む。
【０１２３】
ステップS1907において、表面読み込みであるかを判断する。
【０１２４】
表面読み込みであった場合は、ステップS1921へ進む。
【０１２５】
裏面読み込みであった場合は、ステップS1908へ進み、特定原稿が直前に1枚だけ読み込んでいるか判断する。
【０１２６】
ステップS1908で、直前に1枚だけ特定原稿を読み込んでいると判断した場合は、ステップS1909へ進み、合紙指定のため、N枚目を非印刷するとセットする。
【０１２７】
ステップS1910で、1枚目の通常画像であるかを判断する。
【０１２８】
ステップS1910において、1枚目であると判断された場合は、ステップS1912に進み、N枚目を表紙指定であると設定する。
【０１２９】
ステップS1910において、１枚目ではないと判断されると、ステップS1911に進み、N枚目を合紙指定であると設定する。
【０１３０】
ステップS1913において、印刷枚数に１を追加し、N枚目を通常給紙とセットし、N枚目を印刷すると設定する。
【０１３１】
ステップS1908において、直前に読み込んだ特定原稿が1枚ではないと判断されると、ステップS1914に進み、直前に読み込んだ特定原稿が2枚以上かを判断する。
【０１３２】
ステップS1914において、直前に読み込んだ特定原稿が2枚以上であると判断されると、ステップS1915に進み、N枚目を印刷すると設定する。
【０１３３】
ステップS1916において、1枚面の通常画像かを判断し、1枚目であればステップS1918に進む。
【０１３４】
ステップS1918において、N枚目を表紙指定であると設定する。
【０１３５】
ステップS1916において、1枚目の通常原稿ではないと判断されると、ステップS1917へ進み、N枚目を合紙指定であると設定する。
【０１３６】
ステップS1914において、直前に読み込んだ特定原稿が2枚以上ではないと判断された場合は、ステップS1919に進み、N枚目を通常給紙と設定し、N枚目を印刷すると設定する。
【０１３７】
ステップS1920において、直前に読み込んだ特定原稿枚数を０に設定する。
【０１３８】
ステップS1921において、全原稿を読み込み終えたかを判断し、全原稿を読み終えていなければ、ステップS1903に戻る。
【０１３９】
ステップS1921において、全原稿の読み取りが完了したと判断されると、ステップS1929へ進み、特定原稿1枚を読み込んで全原稿読み取りを終了したかを判断する。
【０１４０】
ステップS1929において、特定原稿を1枚読み込んで全原稿読み取りを終了したと判断された場合、ステップS1930に進み、読み込み枚数に１を追加し、N枚目を裏表紙指定であると設定し、N枚目を非印刷すると設定する。
【０１４１】
ステップS1931において、特定原稿を2枚以上読み込んで全原稿読み取りを終了したと判断された場合は、ステップS1932に進み、N枚目を裏表紙指定であると設定し、N枚目を印刷すると設定する。
【０１４２】
ステップS1933において、記憶したN枚の原稿を両面印刷する。
【図面の簡単な説明】
【０１４３】
【図１】複写機の主要部の構成を示すブロック図である。
【図２】図１に示すスキャナおよびプリンタのハードウェア構成を示す側断面図である。
【図３】図１に示す操作部の構成を示す平面図である。
【図４】操作部上に表示される操作画面のコピー標準画面の一例図である。
【図５】表紙/合紙を設定する画面を示す図である。
【図６】表紙/合紙に使う用紙の給紙段を選択する画面を示す図である。
【図７】挿入紙にコピーをするか、しないかを設定する画面を示す図である。
【図８】合紙挿入位置を指定する画面を示す図である。
【図９】合紙挿入位置の詳細を設定する画面を示す図である。
【図１０】特定原稿を合紙指定する設定を行う画面を示す図である。
【図１１】特定原稿を合紙指定する設定がされ、次へボタンが読み込みボタンに変更することを示す図である。
【図１２】特定原稿を合紙指定した際に読み込み開始を促す画面を示す図である。
【図１３】読み込んだ特定原稿による設定を明示的に表示した画面を示す図である。
【図１４】読み込み紙に特定原稿のセットを示す図である。
【図１５】特定原稿を合紙設定と判断した際の読み込み例と印字イメージを示す図である。
【図１６】2枚連続で特定原稿を読み取った際の読み込み例と印字イメージを示す図である。
【図１７】読み込んだ原画像の最終2ページが特定原稿であった際の読み込み例と印字イメージを示す図である。
【図１８】簡易表紙／合紙設定の設定を示すフローチャートである。（片面読み込み）
【図１９】簡易表紙／合紙設定の設定を示すフローチャートである。（両面読み込み）
【符号の説明】
【０１４４】
２０００  コントローラユニット（オートクリア手段、判断手段、制御手段）
２０１２  操作部（操作画面、表示入力手段）
２０７０  スキャナ
２０９５  プリンタ
【図１】
2007060266.tif 000003
【図２】
2007060266.tif 000004
【図３】
2007060266.tif 000005
【図４】
2007060266.tif 000006
【図５】
2007060266.tif 000007
【図６】
2007060266.tif 000008
【図７】
2007060266.tif 000009
【図８】
2007060266.tif 000010
【図９】
2007060266.tif 000011
【図１０】
2007060266.tif 000012
【図１１】
2007060266.tif 000013
【図１２】
2007060266.tif 000014
【図１３】
2007060266.tif 000015
【図１４】
2007060266.tif 000016
【図１５】
2007060266.tif 000017
【図１６】
2007060266.tif 000018
【図１７】
2007060266.tif 000019
【図１８】
2007060266.tif 000020
【図１９】
2007060266.tif 000021